(57)【要約】【課題】簡易な構成で、左右のどちらの目に対しても設置可能な画像投影装置を提供することを目的としている。【解決手段】画像データに基づき光源からレーザ光を照射して利用者の網膜に画像を投影させる画像投影装置であって、前記光源と、前記レーザ光を走査する走査ミラーとを有する投影部と、前記投影部に前記画像データを入力させる制御部と、前記投影部と前記制御部とを連結させるためのフレキシブルアームと、前記画像投影装置を保持するためのイヤーフックと、前記イヤーフックが回転可能に取り付けられたフレームと、前記イヤーフックが回転したことを検出する回転検出部と、を有し、前記制御部は、前記回転検出部により前記イヤーフックの回転が検出された場合に、前記投影部に入力させる前記画像データの上下を反転させる、画像投影装置である。【選択図】図１
2019161494.tif 000002
【特許請求の範囲】
【請求項１】
画像データに基づき光源からレーザ光を照射して利用者の網膜に画像を投影させる画像投影装置であって、
前記光源と、前記レーザ光を走査する走査ミラーとを有する投影部と、
前記投影部に前記画像データを入力させる制御部と、
前記投影部と前記制御部とを連結させるためのフレキシブルアームと、
前記画像投影装置を保持するためのイヤーフックと、
前記イヤーフックが回転可能に取り付けられたフレームと、
前記イヤーフックが回転したことを検出する回転検出部と、を有し、
前記制御部は、前記回転検出部により前記イヤーフックの回転が検出された場合に、前記投影部に入力させる前記画像データの上下を反転させる、画像投影装置。
【請求項２】
前記イヤーフックは、一対のイヤーフックであって、
前記投影部は、
前記一対のうち一方のイヤーフックと同じ側に設けられ、
前記回転検出部は、
前記一対のうち他方のイヤーフックと同じ側に設けられる、請求項１記載の画像投影装置。
【請求項３】
前記回転検出部は、
前記他方のイヤーフックが、前記一方のイヤーフックに近づいていく方向に回転したことを検出する、請求項２記載の画像投影装置。
【請求項４】
前記一対のうち一方のイヤーフックは、他方のイヤーフックから離れる方向への回転が制限されており、且つ、前記他方のイヤーフックに近づいていく方向に付勢されている、請求項２記載の画像投影装置。
【請求項５】
前記一対のイヤーフックのそれぞれが取り付けられた一対の前記フレームのそれぞれを、前記制御部の両側に連結させる一対のネックバンドを有する、請求項２記載の画像投影装置。
【請求項６】
前記一対の前記フレームのうち、一方のフレームが、前記フレキシブルアームと連結している、請求項５記載の画像投影装置。
【請求項７】
前記フレキシブルアームは、前記一対のうち一方のイヤーフックと、前記制御部との間から分岐している、請求項５記載の画像投影装置。
【請求項８】
前記投影部は、
前記フレキシブルアームによって前記制御部と連結されており、
前記制御部と前記フレームとが連結されている、請求項１記載の画像投影装置。
【請求項９】
前記投影部と同じ側にあるイヤーフックが、利用者の左耳に掛けられる場合、前記投影部は利用者の左眼用の画像を投影し、前記回転検出部がイヤーフックの回転を検出したとき、前記投影部は利用者の右眼用の画像を投影する、請求項２記載の画像投影装置。
【発明の詳細な説明】
【技術分野】
【０００１】
本発明は、画像投影装置に関する。
【背景技術】
【０００２】
従来から、眼鏡型の網膜走査型ディスプレイ（Retinal. Scanning Display: RSD）が知られている。この眼鏡型の網膜走査型ディスプレイでは、網膜に映像を投影するため、瞳孔と画像出力部との位置関係に制約があることが知られている。
【０００３】
また、従来では、単眼用のヘッドマウントディスプレイが知られている。単眼用のヘッドマウントディスプレイの例として、従来では、オーバーヘッドバンドで連結された２つのヘッドホーンハウジングの一方に、リッジットアームとフレキシブルアームとからなる支持アームにより、表示部を上下方向と左右方向に回動可能に取り付けたものが知られている。また、単眼用のヘッドマウントディスプレイの他の例として、表示ユニットと、表示ユニットを使用者の片目の近傍に配置させる長さを有するアームとを、表示ユニットが片目に対して少なくとも上下回動方向の自由度を有するように連結したものが知られている。
【先行技術文献】
【特許文献】
【０００４】
【特許文献１】特開２００８−２２２３８号公報
【特許文献２】特開２００４−８０６７９号公報
【発明の概要】
【発明が解決しようとする課題】
【０００５】
従来の眼鏡型の網膜走査型ディスプレイでは、眼鏡と投影方向、位置等が固定されるため、ユーザ毎のカスタマイズが必要となる。また、単眼用とした場合には、左眼用と右眼用と別の構造をとる必要があり、製造の観点からコストが高くなる。
【０００６】
また、従来の単眼用のヘッドマウントディスプレイでは、支持アームをリッジットアームとフレキシブルアームで構成するため、フレキシブルアームを短くせざるを得ず、フレキシブルアームの変形の自由度が小さくなる。また、表示ユニットを回動させる場合、表示ユニットを使用者の眼の位置に合わせた任意の角度で固定する必要があるため、構造が複雑になる。
【０００７】
開示の技術は、上述した事情に鑑みて成されたものであり、簡易な構成で、左右のどちらの目に対しても設置可能な画像投影装置を提供することを目的としている。
【課題を解決するための手段】
【０００８】
開示の技術は、画像データに基づき光源からレーザ光を照射して利用者の網膜に画像を投影させる画像投影装置であって、前記光源と、前記レーザ光を走査する走査ミラーとを有する投影部と、前記投影部に前記画像データを入力させる制御部と、前記投影部と前記制御部とを連結させるためのフレキシブルアームと、前記画像投影装置を保持するためのイヤーフックと、前記イヤーフックが回転可能に取り付けられたフレームと、前記イヤーフックが回転したことを検出する回転検出部と、を有し、前記制御部は、前記回転検出部により前記イヤーフックの回転が検出された場合に、前記投影部に入力させる前記画像データの上下を反転させる、画像投影装置である。
【発明の効果】
【０００９】
簡易な構成で、左右のどちらの目に対しても設置可能な画像投影装置を提供することができる。
【図面の簡単な説明】
【００１０】
【図１】第一の実施形態の画像投影装置を説明する第一の図である。
【図２】第一の実施形態の画像投影装置を説明する第二の図である。
【図３】第一の実施形態の画像投影装置のフレームを説明する第一の図である。
【図４】第一の実施形態の画像投影装置のフレームを説明する第二の図である。
【図５】第一の実施形態の画像投影装置が利用者に装着された状態を説明する図である。
【図６】第二の実施形態の画像投影装置を説明する図である。
【図７】第三の実施形態の画像投影装置を説明する図である。
【発明を実施するための形態】
【００１１】
（第一の実施形態）
以下に図面を参照して第一の実施形態について説明する。図１は、第一の実施形態の画像投影装置を説明する第一の図である。
【００１２】
本実施形態の画像投影装置１００は、制御部１１０、投影部１２０、ネックバンド１３０、１４０、イヤーフック１５０、１６０、フレーム１７０、１８０、フレキシブルアーム１９０を有する。
【００１３】
本実施形態の画像投影装置１００において、制御部１１０は、ネックバンド１３０によってフレーム１７０と連結されている。また、制御部１１０は、ネックバンド１４０によってフレーム１８０と連結されている。フレーム１７０には、イヤーフック１５０が回動可能に取り付けられており、フレーム１８０にはイヤーフック１６０が回動可能に取り付けられている。
【００１４】
フレーム１７０には、フレキシブルアーム１９０によって投影部１２０が連結されている。
【００１５】
つまり、投影部１２０と制御部１１０とは、フレキシブルアーム１９０とフレーム１７０とネックバンド１３０とを介して連結されている。
【００１６】
また、投影部１２０は、右耳用と左耳用とに設けられた一対のイヤーフック１５０、１６０のうち、一方のイヤーフック１５０と連結されている。言い換えれば、投影部１２０は、一対のイヤーフック１５０、１６０のうち、一方のイヤーフック１５０と同じ側に設けられている。
【００１７】
本実施形態の画像投影装置１００は、イヤーフック１５０、１６０で画像投影装置１００を利用者の両耳に掛けることで、利用者の頭部に保持されて装着される。
【００１８】
本実施形態の制御部１１０は、画像投影装置１００の全体の動作を制御する。具体的には、本実施形態の制御部１１０は、投影部１２０に搭載される光源や走査ミラーを駆動させるための駆動部、外部装置とのインターフェイス部、無線通信部、投影部１２０に画像を入力する画像入力部、バッテリ等を含む。
【００１９】
制御部１１０は、例えば、インターフェイス部を介して外部装置から取得した画像データを、画像入力部により投影部１２０に入力し、投影部１２０よってこの画像データを利用者の網膜に投影させても良い。外部装置とは、例えば、端末装置やカメラ等である。尚、画像投影装置１００には、例えば、投影部１２０の先端部等にカメラが設けられていても良い。また、制御部１１０は、無線通信部を介して受信した画像データを投影部１２０により投影させても良い。
【００２０】
投影部１２０は、利用者の網膜にレーザ光を照射して画像を投影する。具体的には、投影部１２０は、少なくとも、レーザ光を照射する光源と、レーザ光を利用者の網膜に向けて走査するための走査ミラーとが含まれる。本実施形態の走査ミラーは、例えば、ＭＥＭＳ（Micro Electro Mechanical System）ミラーである。
【００２１】
尚、本実施形態では、光源と走査ミラーを駆動させる駆動部が制御部１１０に設けられるものとしたが、これに限定されない。駆動部は、投影部１２０に設けられていても良い。
【００２２】
ネックバンド１３０とネックバンド１４０とは、制御部１１０の両側に設けられ、フレーム１７０とフレーム１８０のそれぞれと連結される。つまり、ネックバンド１３０、ネックバンド１４０は、制御部１１０の両側に設けられた一対のネックバンドである。また、フレーム１７０とフレーム１８０は、一対のネックバンドのそれぞれと連結された一対のフレームである。
【００２３】
ネックバンド１３０は、制御部１１０とフレーム１７０の一端とを連結させる。フレーム１７０の他端は、フレキシブルアーム１９０と連結されている。ネックバンド１３０とフレーム１７０とは、内部に空間を有するチューブ状の形状である。また、フレキシブルアーム１９０は、チューブ状であり、形状を保持する機能を有するものである。
【００２４】
本実施形態では、制御部１１０から引き出された各種の信号線は、ネックバンド１３０、フレーム１７０、フレキシブルアーム１９０の内部を通って投影部１２０に接続される。
【００２５】
ネックバンド１４０は、制御部１１０とフレーム１８０の一端とを連結させる。フレーム１８０の他端は、封止されている。
【００２６】
つまり、本実施形態では、投影部１２０と制御部１１０とを連結するネックバンド１３０、フレーム１７０、フレキシブルアーム１９０にのみ、内部に投影部１２０を制御するための信号線が通されており、ネックバンド１４０、フレーム１８０には、投影部１２０を制御するための信号線は通されていない。
【００２７】
尚、本実施形態において、ネックバンド１３０とネックバンド１４０とは、水平方向で対称の形状であることが好ましい。このような形状とすることで、左右どちらの目に対しても同様に画像投影装置１００を装着することができる。
【００２８】
フレーム１７０には、イヤーフック１５０がイヤーフック１６０に近づいていく方向に回動するように、取り付けられている。言い換えれば、イヤーフック１５０は、イヤーフック１５０に対向して設けられた他方のイヤーフック１６０に向かう方向に回動するように、フレーム１７０に取り付けられている。また、イヤーフック１５０は、回転角度の最大が１８０度となるように、フレーム１７０に取り付けられている。
【００２９】
フレーム１８０には、イヤーフック１６０がイヤーフック１５０に近づいていく方向に回動するように、取り付けられている。言い換えれば、イヤーフック１６０は、イヤーフック１６０に対向して設けられた他方のイヤーフック１５０に向かう方向に回動するように、フレーム１８０に取り付けられている。また、イヤーフック１６０は、回転角度が最大で１８０度となるように、フレーム１８０に取り付けられている。
【００３０】
また、本実施形態の画像投影装置１００では、フレーム１８０の内部に、イヤーフック１６０が１８０度回転したことを検出し、検出結果を制御部１１０へ出力するセンサが設けられている。センサの詳細は後述する。
【００３１】
センサから引き出された信号線は、ネックバンド１４０の内部を通って制御部１１０へ接続される。尚、ネックバンド１４０も、ネックバンド１３０と同様に、内部に空間を有するチューブ状の形状を有する。つまり、ネックバンド１４０には、センサから出力された信号を制御部１１０へ通知するための信号線のみが通されている。
【００３２】
本実施形態の制御部１１０は、センサから、イヤーフック１６０が１８０度回転したことを示す信号が出力されると、投影部１２０に投影させる画像の上下を反転させる。
【００３３】
このように、本実施形態では、投影部１２０を制御するための信号線と、イヤーフック１６０の回転を検出するセンサの出力を制御部１１０に送出するための信号線とが分離されている。
【００３４】
また、本実施形態の画像投影装置１００は、図１に示す状態で利用者が装着した場合には、投影部１２０が利用者の左眼側に配置されるようになるため、左眼用の画像投影装置１００となる。
【００３５】
ここで、本実施形態の画像投影装置１００において、イヤーフック１５０、１６０を回転させた場合について説明する。
【００３６】
図２は、第一の実施形態の画像投影装置を説明する第二の図である。図２では、画像投影装置１００を、図１の状態からイヤーフック１５０とイヤーフック１６０のそれぞれを１８０度回転させた状態を示している。
【００３７】
本実施形態の画像投影装置１００は、図２に示す状態で利用者が装着した場合には、投影部１２０が利用者の右眼側に配置されるようになるため、右眼用の画像投影装置１００となる。
【００３８】
また、制御部１１０は、図２の状態では、図１に示す状態で投影部１２０に投影させていた画像データの上下を反転させて、投影部１２０に投影させる。したがって、本実施形態では、イヤーフック１５０、１６０を１８０度回転させるだけで、画像投影装置１００を右眼用と左眼用とを切り替えることができる。
【００３９】
また、本実施形態では、イヤーフック１５０、１６０が回転する方向を、互いに対向するイヤーフックに向かう方向とし、回転角度の最大を１８０度としている。したがって、本実施形態では、図１に示す状態と図２に示す状態のそれぞれにおいて、画像投影装置１００が装着された場合に、イヤーフック１５０、１６０が利用者の頭部から離れる方向に回転することがない。このため、本実施形態では、画像投影装置１００の装着時に、イヤーフック１５０、１６０を利用者の頭部に圧接させることができ、画像投影装置１００を保持することができる。
【００４０】
また、本実施形態では、イヤーフック１５０、１６０を頭部方向に付勢させるように、イヤーフック１５０、１６０の回転軸にばねやゴムなどの弾性のある部材を設置しても良い。これにより、頭部への圧接性を高めることができる。
【００４１】
次に、図３を参照して、本実施形態のフレーム１７０、１８０について説明する。図３は、第一の実施形態の画像投影装置のフレームを説明する第一の図である。図３では、図１、図２におけるフレーム１７０のＡ−Ａ断面図を示している。
【００４２】
本実施形態のフレーム１７０は、内部に区間を有する円筒状（チューブ状）の形状であり、内周の周方向に凸部１７１が形成されている。
【００４３】
本実施形態のイヤーフック１５０は、フレーム１７０の内部に差し込まれる差し込み部１５１を含む。差し込み部１５１には、凸部１５２が形成されており、差し込み部１５１がフレーム１７０に差し込まれた状態では、フレーム１７０の内周方向に凸部１５２が移動可能となるように空間１５３が形成される。
【００４４】
また、イヤーフック１５０では、差し込み部１５１の内部に空間１５４が形成されるような形状である。図３では図示していないが、空間１５４には、制御部１１０から引き出された信号線が通されている。
【００４５】
本実施形態では、図３に示す状態（凸部１５２の端部１５２ａと、凸部１７１の端部１７１ａとが当接した状態）から、イヤーフック１５０が矢印Ｙ１方向に１８０度回転すると、凸部１５２の端部１５２ｂと凸部１７１の端部１７１ｂとが当接し、回転が停止する。
【００４６】
図４は、第一の実施形態のフレームを説明する第二の図である。図４では、図１、図２におけるフレーム１８０のＢ−Ｂ断面図を示している。
【００４７】
本実施形態のフレーム１８０は、内部に区間を有する円筒状（チューブ状）の形状であり、内周の周方向に凸部１８１が形成されている。
【００４８】
本実施形態のイヤーフック１６０は、フレーム１８０の内部に差し込まれる差し込み部１６１を含む。差し込み部１６１には、凸部１６２が形成されており、差し込み部１６１がフレーム１８０に差し込まれた状態では、フレーム１８０の内周方向に凸部１６２が移動可能となるように空間１６３が形成される。
【００４９】
また、イヤーフック１６０は、差し込み部１６１の内部に、センサ１６５が設けられている。センサ１６５は、凸部１６６と、収納部１６７とを有しており、凸部１６６が押圧されて収納部１６７に収納されると、凸部１６６が押圧されたことを示す信号を出力する。また、センサ１６５は、凸部１６６に対する押圧がなくなると、凸部１６６が収納部１６７から突出した状態となる。このとき、センサ１６５は、凸部１６６に対する押圧がなくなったことを示す信号を出力する。
【００５０】
また、センサ１６５は、例えば、凸部１６６に対する押圧を検出した場合と、凸部１６６に対する押圧がなくなった場合とのそれぞれにおいて、特定のパルス信号等を出力しても良い。センサ１６５から引き出された信号線は、イヤーフック１６０とネックバンド１４０の内部を通り、制御部１１０に接続される。
【００５１】
本実施形態では、図４に示す状態（凸部１６２の端部１６２ａと、凸部１８１の端部１８１ａとが当接した状態）から、イヤーフック１６０が矢印Ｙ２方向に１８０度回転すると、凸部１６２の端部１６２ｂと凸部１８１の端部１８１ｂとが当接し、回転が停止する。
【００５２】
また、このとき、センサ１６５では、凸部１６６が凸部１８１に押圧された状態から、凸部１６６に対する押圧がなくなった状態となる。したがって、センサ１６５は、制御部１１０に対して、パルス信号を出力する。
【００５３】
つまり、本実施形態のセンサ１６５は、イヤーフック１６０が１８０度回転したとき、この回転を検出し、回転したことを通知する信号を制御部１１０に出力する回転検出部の役割を果たす。
【００５４】
尚、本実施形態では、センサ１６５により回転検出部を実現する形態を説明したが、回転検出部を実現する方法は、これに限定されない。回転検出部は、投影部１２０が連結されていない側のイヤーフック１６０において、端部１５２ａが端部１７１ａに当接したことを検出するスイッチを設けるなど、イヤーフック１６０が１８０度または所定の角度回転したことを検出できれば、どのような方法で実現されても良い。
【００５５】
本実施形態での、センサによる回転検出部は、投影部１２０が連結されている側のイヤーフックの回転を検出することを妨げるものではない。
【００５６】
このように、本実施形態の画像投影装置１００では、２つのイヤーフックを、互いが近づく方向に１８０度回転させる構成と、この回転を検出する構成と、を設け、イヤーフックの回転が検出されると、投影部から投影させる画像の上下を反転させる。
【００５７】
したがって、本実施形態によれば、イヤーフック１５０が左側の耳に掛けられるとき、投影部１２０には、左眼用の画像を投影し、センサ１６５がイヤーフック１６０の回転検出した場合、投影部１２０には、画像の上下を反転させた右眼用の画像を投影することができる。
【００５８】
本実施形態では、この構成により、イヤーフックを回転させるだけで、画像投影装置１００を左眼用と右眼用とに切り替えることができる。
【００５９】
また、本実施形態では、イヤーフックの回転を検出する回転検出部を、投影部と連結されていないイヤーフック側に設けている。このため、本実施形態によれば、回転検出部が出力する信号を制御部１１０に出力するための配線の自由度を高めることができる。また、本実施形態では、左眼用と右眼用とに切り替えるとき、投影部１２０を回転させる必要がなく、投影部１２０と制御部１１０との配線に対する負荷を軽減できる。
【００６０】
次に、図５を参照して、画像投影装置１００が利用者に装着された状態について説明する。図５は、第一の実施形態の画像投影装置が利用者に装着された状態を説明する図である。
【００６１】
本実施形態では、フレキシブルアーム１９０の長さを、画像投影装置１００が利用者に装着される際に、利用者の耳の下側から眼の側面までの空間において、任意の形状が保持される長さとしている。具体的には、例えば、フレキシブルアーム１９０は、三次元のＳ字形状において、２箇所以上の屈曲点が設けられる長さとしている。
【００６２】
本実施形態では、フレキシブルアーム１９０の長さを、このような長さとすることで、投影部１２０の設置位置の自由度を高め、利用者が任意の位置に投影部１２０を設置することを可能としている。
【００６３】
また、本実施形態のフレキシブルアーム１９０は、屈曲点を設ける際に、曲げＲによっては跳ね返り（キックバック）が生じる。尚、曲げＲとは、金属の曲げ加工時に、曲げ位置にかかる半径（Ｒ）である。
【００６４】
本実施形態では、キックバックが生じない曲げＲが小さいフレキシブルアーム１９０ほど、フレキシブルアーム１９０を屈曲させて投影部１２０の位置を合わせる場合に、適切に位置を合わせることができ、好ましい。
【００６５】
また、本実施形態では、利用者が一般的な眼鏡を掛けた場合に、眼鏡と利用者の顔と間に配置されるように、投影部１２０の位置が設定されることが好ましい。本実施形態では、このように投影部１２０の位置を設定することで、利用者が画像投影装置１００を装着したまま眼鏡を装着することができる。したがって、本実施形態によれば、例えば、利用者が画像投影装置１００を装着する際に、眼鏡を外したりする必要がない。
【００６６】
また、本実施形態によれば、例えば、画像投影装置１００と眼鏡の両方を装着している場合に、投影部１２０から視線をずらすだけで、投影された画像が含まれない眼鏡越しの視界とすることができる。したがって、本実施形態によれば、日常的に眼鏡を装着している利用者にとっても、画像投影装置１００を利用するための煩わしさを低減することができる。
【００６７】
以上のように、本実施形態によれば、簡易な構成で、安価に、左右のどちらの目に対しても設置可能な画像投影装置を提供することができる。
【００６８】
（第二の実施形態）
以下に図面を参照して第二の実施形態について説明する。第二の実施形態では、制御部１１０とフレキシブルアーム１９０とが連結している点が第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【００６９】
図６は、第二の実施形態の画像投影装置を説明する図である。本実施形態の画像投影装置１００Ａは、制御部１１０から、ネックバンド１３０Ａとフレキシブルアーム１９０Ａとが分岐している。言い換えれば、本実施形態では、画像投影装置１００を利用者が装着した状態において、フレキシブルアーム１９０Ａがイヤーフック１５０よりも後方から分岐している。
【００７０】
また、本実施形態では、イヤーフック１５０は、フレーム１７０Ａを介してネックバンド１３０Ａと連結されている。また、本実施形態では、投影部１２０は、一対のイヤーフック１５０、１６０のうち、一方のイヤーフック１５０と同じ側に設けられている。
【００７１】
本実施形態の画像投影装置１００Ａでは、制御部１１０と投影部１２０とを接続する信号線は、フレキシブルアーム１９０Ａ内のみを通り、ネックバンド１３０Ａとフレーム１７０Ａの内部には信号線は通っていない。
【００７２】
本実施形態では、このように、フレキシブルアーム１９０Ａを長くすることで、投影部１２０の位置を設定する際の自由度を高めることができる。したがって、本実施形態によれば、例えば、利用者の髪型や服装等に応じて、投影部１２０の位置を設定したりすることもできる。
【００７３】
また、本実施形態では、第一の実施形態と比較してフレキシブルアーム１９０Ａが長くなるため、第一の実施形態と比較して、キックバックが生じない曲げＲが大きいフレキシブルアーム１９０Ａを使用することができる。したがって、本実施形態では、第一の実施形態と比較して、フレキシブルアーム１９０Ａを太くすることができ、より安価に構成することができる。
【００７４】
尚、図６の例では、フレキシブルアーム１９０Ａが制御部１１０から分岐するものとしたが、これに限定されない。フレキシブルアーム１９０Ａは、例えば、ネックバンド１３０Ａの途中から分岐していても良い。言い換えれば、フレキシブルアーム１９０Ａは、制御部１１０とイヤーフック１５０との間から分岐しても良い。この場合、制御部１１０と投影部１２０とを接続する信号線は、ネックバンド１３０Ａの一部分の内部とフレキシブルアーム１９０Ａの内部とを通ることになる。
【００７５】
（第三の実施形態）
以下に図面を参照して第三の実施形態について説明する。第三の実施形態では、イヤーフックが１つである点が第一の実施形態と相違する。よって、以下の第三の実施形態の説明では、第一の実施形態との相違点についてのみ説明し、第一の実施形態と同様の機能構成を有するものには、第一の実施形態の説明で用いた符号と同様の符号を付与し、その説明を省略する。
【００７６】
図７は、第三の実施形態の画像投影装置を説明する図である。本実施形態の画像投影装置１００Ｂは、制御部１１０、投影部１２０、イヤーフック１５０、フレーム１７０Ｂ、フレキシブルアーム１９０Ｂを有する。
【００７７】
本実施形態では、イヤーフック１５０とフレーム１７０Ｂとが連結されており、イヤーフック１５０の差し込み部１５１内に、センサ１６５が設けられている。センサ１６５から引き出された信号線は、フレーム１７０Ｂの内部を通り、制御部１１０と接続される。
【００７８】
また、画像投影装置１００Ｂでは、制御部１１０からフレキシブルアーム１９０Ａが引き出され、制御部１１０と投影部１２０とを接続している。したがって、本実施形態でも、センサ１６５と制御部１１０とを接続する配線と、制御部１１０と投影部１２０とを接続する配線とは分離されており、それぞれの配線の自由度を高めることができる。
【００７９】
本実施形態では、イヤーフック１５０を右方向又は左方向に１８０度回転させると、センサ１６５が回転を検出し、制御部１１０が投影部１２０で投影させる画像の上下を反転させる。
【００８０】
したがって、本実施形態によれば、投影部１２０を回転させずに、画像投影装置１００Ｂを左眼用と右眼用とに切り替えることができ、投影部１２０とフレキシブルアーム１９０Ａとの接続部や、フレキシブルアーム１９０Ａと制御部１１０との接続部に対する負荷を軽減できる。
【００８１】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【符号の説明】
【００８２】
１００、１００Ａ、１００Ｂ  画像投影装置
１１０  制御部
１２０  投影部
１３０、１３０Ａ、１４０  ネックバンド
１５０、１６０  イヤーフック
１６５  センサ
１７０、１７０Ａ、１７０Ｂ、１８０  フレーム
１９０、１９０Ａ  フレキシブルアーム
【図１】
2019161494.tif 000003
【図２】
2019161494.tif 000004
【図３】
2019161494.tif 000005
【図４】
2019161494.tif 000006
【図５】
2019161494.tif 000007
【図６】
2019161494.tif 000008
【図７】
2019161494.tif 000009